(57)【要約】【課題】使用後に撤去して産業廃棄物として処理する必要がなく、廉価で敷設が容易であり、さらに匍匐枝を持つ植物の自然繁殖を阻害することのない紙製防草シートおよびその使用方法を提供する。【解決手段】植物７を栽培する土壌５上に敷いて、雑草が生えるのを阻止しつつ、土壌５を部分的に露出させるべく所定間隔で形成した解放部３において植物７を生長させる防草シートであって、前記防草シートを、微生物によって自然分解する新聞紙等の紙で形成する。この紙製防草シート１を土壌５上に敷く際に、その上面の全体または一部に置き土６を被せる。また、二重またはそれ以上に折り畳み、その上側シート１ａと下側シート１ｂとの間に肥料４を配する。【選択図】　　　図２
2004049098.tif 000002
【特許請求の範囲】
【請求項１】
植物を栽培する土壌上に敷いて、雑草が生えるのを阻止しつつ、前記土壌を部分的に露出させるべく所定間隔で形成した解放部において植物を生長させる防草シートであって、
前記防草シートを、微生物によって自然分解する紙で形成してなることを特徴とする紙製防草シート。
【請求項２】
前記防草シートを新聞紙で形成してなることを特徴とする紙製防草シート。
【請求項３】
請求項１または２に記載の紙製防草シートを前記土壌上に敷く際に、その上面の全体または一部に置き土を被せてなることを特徴とする紙製防草シートの使用方法。
【請求項４】
請求項１または２に記載の紙製防草シートを前記土壌上に敷く際に、それを二重またはそれ以上に折り畳み、その上側シートと下側シートとの間に肥料及び又は消毒剤を配すると共に、その上面の全体または一部に置き土を被せてなることを特徴とする紙製防草シートの使用方法。
【発明の詳細な説明】
【０００１】
【発明の属する技術分野】
本発明は、雑草の生長を阻止しつつ、栽培植物の繁殖を効果的に促すことのできる紙製の防草シートおよびその使用方法に関するものである。
【０００２】
【従来の技術】
従来から、例えば、苺などの植物を栽培する際に、化学繊維製や黒色ビニール製の防草シート（通常、マルチシートあるいはマルチングシートと呼ばれている）が使用されている。
この防草シートは、植物を栽培する土壌上に敷いて、雑草が生えるのを阻止しつつ、水の蒸発を防止するもので、特に冬季には保温効果に優れるものである。防草シートには、所定間隔で穴部が設けられ、その開口穴部に種を撒いたり苗を植えて、栽培植物を生長させる。
【０００３】
【発明が解決しようとする課題】
しかしながら、従来の防草シートは化学繊維製やビニール製であるため、微生物によって自然分解することなく、土壌中にそのまま残存する。そのため、使用後に撤去して産業廃棄物として処理する必要がある。
【０００４】
また、この防草シートには栽培植物の種類に応じて、それぞれ異なる間隔で開口穴部を形成する必要があるので割高となり、また、その開口穴部を土壌上に正確に位置させる必要があるので、敷設作業が面倒であるといった問題がある。
【０００５】
さらに、匍匐枝（ツル状に伸びて地上をはう枝）を持つ、苺、ガザニア、ユキノシタあるいはジシバリ等を栽培する際に、その枝から生え出る根が、防草シートによって土壌に根付くのが妨げられるため、自然繁殖が阻害されてしまうといった問題もある。
【０００６】
そこで、本発明の目的とするところは、使用後に撤去して産業廃棄物として処理する必要がなく、廉価で敷設が容易であり、さらに匍匐枝を持つ植物の自然繁殖を阻害することのない紙製防草シートおよびその使用方法を提供することにある。
【０００７】
【課題を解決するための手段】
上記の目的を達成するために、本発明の請求項１に記載の紙製防草シートは、植物（７）を栽培する土壌（５）上に敷いて、土壌（５）を部分的に露出させるべく所定間隔で形成した解放部（３）において植物（７）を生長させる防草シート（１）であって、その防草シート（１）を、微生物によって自然分解する紙で形成してなることを特徴とする。
【０００８】
また、請求項２に記載の紙製防草シートは、前記防草シート（１）を新聞紙で形成してなることを特徴とする。
【０００９】
さらに、請求項３に記載の紙製防草シートの使用方法は、請求項１または２に記載の紙製防草シート（１）を土壌（５）上に敷く際に、その上面の全体または一部に置き土（６）を被せてなることを特徴とする。
【００１０】
またさらに、請求項４に記載の紙製防草シートの使用方法は、請求項１または２に記載の紙製防草シート（１）を土壌（５）上に敷く際に、それを二重またはそれ以上に折り畳み、その上側シート（１ａ）と下側シート（１ｂ）との間に肥料（４）又は消毒剤の一方、あるいは肥料（４）と消毒剤の両方を配すると共に、その上面の全体または一部に置き土（６）を被せてなることを特徴とする。
【００１１】
なお、括弧内の記号は、図面および後述する発明の実施の形態に記載された対応要素または対応事項を示す。
【００１２】
本発明の請求項１に記載の紙製防草シートによれば、植物を栽培する土壌上に敷いて、雑草が生えるのを阻止しつつ、土壌を部分的に露出させるべく所定間隔で形成した解放部において植物を生長させる防草シートを、微生物によって自然分解する紙で形成したので、当該紙製防草シートは微生物によって経時的に自然分解し消滅する。従って、使用後に撤去して産業廃棄物として処理する手間を省くことができる。
【００１３】
また、この防草シートは紙製であるので、土壌を部分的に露出させる箇所である解放部を、土壌上に敷設する前に限らず、例えば、敷設後に栽培植物の種類に対応する間隔で容易に形成することができる。従って、廉価なものとすることができ、敷設作業も容易である。
【００１４】
さらに、この紙製防草シートは微生物によって自然分解するので、苺等の匍匐枝を持つ植物を栽培した場合には、ツル状に伸びて地上をはう枝から出る根が、当該防草シートに阻害されることなく土壌に根付くことができる。これにより、当該植物の自然繁殖が促される。
【００１５】
また、請求項２に記載の紙製防草シートによれば、請求項１に記載の発明の作用効果に加えて、前記防草シートを新聞紙で形成したので、さらに廉価で敷設作業も容易なものとすることができる。すなわち、古新聞紙を使用することによって、きわめて廉価なものとすることができ、また、解放部も簡単な手作業で所望箇所に容易に形成することができるので、例えば、土壌上に敷設する際に栽培する植物に合わせて適宜箇所に自在に形成することができる。
【００１６】
さらに、請求項３に記載の紙製防草シートの使用方法によれば、請求項１または２に記載の紙製防草シートを敷く際に、その上面の全体または一部に置き土を被せるので、当該紙製防草シートを安定姿勢で土壌上に敷設することができる。
【００１７】
なお、この防草シートは、微生物によって自然分解する紙で形成しているので、時間の経過と共に自然消滅する。従って、使用後に撤去して産業廃棄物として処理する必要がない。また、この防草シートは新聞紙等の紙製であるので、土壌を部分的に露出させる箇所である解放部を容易に形成することができ、よって、廉価であり、敷設作業も容易である。さらに、この紙製防草シートは微生物によって自然分解するので、苺等の匍匐枝を持つ植物を栽培した場合には、その枝から出る根を土壌に土着させることができ、これにより、当該植物の自然繁殖が促すことができる。
【００１８】
またさらに、請求項４に記載の紙製防草シートの使用方法によれば、請求項１または２に記載の紙製防草シートを土壌上に敷く際に、それを二重またはそれ以上に折り畳み、その上側シートと下側シートとの間に肥料及び又は消毒剤を配するので、その肥料及び又は消毒剤によって栽培植物の生長を促すことができる。また、この紙製防草シートの上面の全体または一部に置き土を被せるので、当該防草シートを安定した姿勢で土壌上に配置することができる。
【００１９】
【発明の実施の形態】
図１および図２を参照して、本発明の実施形態に係る紙製防草シート１とその使用方法について説明する。図１は、紙製防草シート１およびその使用方法の実施形態を示す平面図であり、図２はその断面図である。
【００２０】
本発明の実施形態に係る紙製防草シート１は、苺等の匍匐枝を有する植物７を栽培するために、その土壌５上を覆うように敷き、雑草が生えるのを阻止している。またこの防草シート１は、シート本体２に所定間隔で穴状の解放部３を形成し、そこから露出する土壌５で植物７を生長させるようにしている。
そして、この防草シート１は、微生物によって自然分解する紙である新聞紙で形成されている。また、この紙製防草シート１は、その上面の全体に置き土６を被せて、その位置がずれないようにしている。
【００２１】
このように本実施形態に係る紙製防草シート１は、新聞紙で形成しているので、時間の経過と共に、微生物によって自然分解されて消滅する。その場の環境によっても左右されるが、通常、１ケ月程度で分解がはじまり、６ケ月程度で完全に分解する。従って、使用後に撤去して産業廃棄物として処理する手間が不要である。また、この防草シート１は新聞紙で形成したのできわめて廉価である。特に古新聞紙を使用するとより効果的である。
【００２２】
さらに、その解放部３を所望箇所に手作業で自在に形成することができるので、土壌５上に敷設する際に、栽培植物７に合わせた大きさや間隔で容易に形成することができる。従って、敷設作業がきわめて容易である。
【００２３】
またさらに、この紙製防草シート１は自然消滅するので、苺のようにツル状に伸びて地上をはう枝９から出る根８を、防草シート１上から土壌５に根８付かせることができる（図３参照）。従って、当該植物７の自然繁殖を効果的に促進することができる。
【００２４】
なお、この紙製防草シート１は、土壌に含まれる水の蒸発を防止し、冬季においては土壌を保温するはたらきも併せて行う。
【００２５】
本実施形態における紙製防草シート１の解放部３は、シート本体２に形成しているが、これに限定するものではなく、図４に示すように、隣接する防草シート１間に形成することもできる。その場合、図４（ａ）のように、シート本体２の端部を切欠いて解放部３とすることもできるし、隣接する複数の防草シート１を交錯させて形成した隙間部分を解放部３とすることもできる。
【００２６】
また、この防草シート１は、図５に示すように、二重に折り畳み、その上側シート１ａと下側シート１ｂとの間に肥料４を配することもできる。この場合、肥料４によって当該植物７の生長をさらに促すことができる。防草シート１の上面の全体または一部には置き土６が被され、位置ずれを防止している。なお、肥料４にかえて粒状又は粉末状の消毒剤を配するようにしてもよく、あるいは肥料４に加えて消毒剤を配するようにしてもよい。
【００２７】
【発明の効果】
本発明の請求項１に記載の紙製防草シートによれば、当該防草シートを微生物によって自然分解する紙で形成したので、使用後に撤去して産業廃棄物として処理する必要がなく、使用性に優れる。また、この防草シートは紙製であるので、廉価であり、解放部を所望箇所に容易に形成することができるので敷設作業も容易である。さらに、この紙製防草シートは微生物によって自然分解するので、苺等の匍匐枝を持つ植物を栽培した場合には、その枝から出る根を当該防草シート上から土壌に土着させることができ、当該植物の自然繁殖を効果的に促進することができる。
【００２８】
また、請求項２に記載の紙製防草シートによれば、請求項１に記載の発明の作用効果に加えて、防草シートを新聞紙で形成したので、さらに廉価で敷設作業を容易なものとすることができる。
【００２９】
さらに、請求項３に記載の紙製防草シートの使用方法によれば、請求項１または２に記載の紙製防草シートを土壌上に敷く際に、その上面の全体または一部に置き土を被せるので、当該紙製防草シートを安定姿勢で土壌上に配置することができる。
【００３０】
またさらに、請求項４に記載の紙製防草シートの使用方法によれば、請求項１または２に記載の紙製防草シートを土壌上に敷く際に、それを二重またはそれ以上に折り畳み、その上側シートと下側シートとの間に肥料及び又は消毒剤を配するので、その肥料及び又は消毒剤によって栽培植物の生長を促すことができる。また、この紙製防草シートの上面の全体または一部に置き土を被せるので、当該防草シートを安定した姿勢で土壌上に配置することができる。
【図面の簡単な説明】
【図１】本発明の実施形態に係る紙製防草シートの使用方法を示す平面図である。
【図２】図１に示す使用方法の断面図である。
【図３】図１に示す使用方法において、匍匐枝を有する植物の自然繁殖状態を示す断面図である。
【図４】本発明の実施形態に係る紙製防草シートの他の使用方法を示すもので、（ａ）はシート本体の端部を切欠いて解放部を形成したもの、（ｂ）は隣接する防草シートを交錯させて解放部を形成したものを示す平面図である。
【図５】本発明のさらに他の実施形態に係る紙製防草シートの使用方法を示す断面図である。
【符号の説明】
１　　　紙製防草シート
１ａ　　上側シート
１ｂ　　下側シート
２　　　シート本体
３　　　解放部
４　　　肥料
５　　　土壌
６　　　置き土
７　　　植物
８　　　根
９　　　枝
【図１】
2004049098.tif 000003
【図２】
2004049098.tif 000004
【図３】
2004049098.tif 000005
【図４】
2004049098.tif 000006
【図５】
2004049098.tif 000007